(57)【特許請求の範囲】
【請求項１】
リール本体と、前記リール本体に設けられたハンドルの回転操作に連動回転するロータと、を備え、前記ロータのアーム部に設けられた釣糸案内部を介して、スプールに釣糸を巻回する魚釣用スピニングリールにおいて、
前記ロータは、前記スプールの内側に配置される有底の円筒部と、前記円筒部の底部の前部にねじで取り付けられる環状部材と、を有しており、
前記環状部材は、前記底部の外縁部よりも径方向外側に突出する釣糸係止部を備えており、
前記底部の前部には、前記ロータの軸心と同心円上に複数のねじ穴が等間隔で形成されており、
前記環状部材には、前記複数のねじ穴に対応して周方向に等間隔でねじ挿通部が形成されており、
前記複数のねじ穴および前記ねじ挿通部は、前記ねじの数よりも多く形成されており、
前記ロータは、
前記複数のねじ穴に対する前記ねじの固定位置を適宜選択することで、
質量調整および軸心周りの質量分布の調整が可能であり、
これらの調整によって、回転バランスの調整が可能であることを特徴とする魚釣用スピニングリール。
【請求項２】
前記環状部材には、前記底部の外縁部に向けて延在する係合突部が周方向に等間隔で複数設けられており、
前記底部の外縁部には、前記係合突部に沿う凹形状の係合受部が設けられており、
前記係合受部に前記係合突部が係合可能であることを特徴とする請求項１に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、リール本体の前方に回転可能に設けられたロータと、このロータの回転運動と同期して前後方向移動可能に設けられ、ロータを介して釣糸が巻回されるスプールと、を有して構成される。
【０００３】
ロータの両側には、一対のアーム部が設けられている。一対のアーム部には、釣糸巻取位置と釣糸放出位置とに回動可能にベール支持部がそれぞれ取り付けられている。ベール支持部の先端部にはベールが取り付けられている。通常、一対のアーム部やベール支持部は、内部に備わる付勢機構や反転機構等の構造の違いから非対称形状に形成されている。このため、ロータの回転バランスを調整する必要がある。
【０００４】
従来、ロータの回転バランスを調整する手段を備えた魚釣用スピニングリールとして、特許文献１，２に記載されたものが知られている。特許文献１の魚釣用スピニングリールでは、ロータの片側に回転バランスを調整するための錘が設けられている。
【０００５】
また、特許文献２の魚釣用スピニングリールでは、ロータの構成部材にバランス調整用のリブが設けられており、必要に応じて適所のリブを折ることでロータの軸心周りの質量分布を調整することができ、よって回転バランスの調整が可能となっている。
【先行技術文献】
【特許文献】
【０００６】
【特許文献１】特開平６−１２５６８３号公報
【特許文献２】特開２０１２−１１０２５１号公報
【発明の概要】
【発明が解決しようとする課題】
【０００７】
特許文献１の魚釣用スピニングリールでは、バランス調整用の錘を埋設する必要があるため、製造コストが嵩むという課題が残されていた。
また、特許文献２の魚釣用スピニングリールでは、リブを折ることでバランス調整を行う構成であるので、メンテナンス等による部品交換後において回転バランスの再調整が難しくなるという課題が残されていた。
【０００８】
ところで、魚釣用スピニングリールは、釣糸の巻取または放出の一連の操作の中で、釣糸の巻付状態が崩れて釣糸が解れたり、張力変化、風の影響等による糸ふけ現象により釣糸の巻付位置が後方へずれたりすることがある。この場合、例えば、解れた釣糸がスプールの内側に侵入し、ロータの前方に釣糸が落ちてスプール軸に絡み付いたりする現象（以下、「糸落ち現象」ということがある）が発生するおそれがあった。このような糸落ち現象が生じると魚釣操作性が損なわれてしまう。
【０００９】
本発明は、前記課題を解決するためになされたものであり、製造コストを低減することができ、かつメンテナンス等による部品交換後において回転バランスの再調整が容易であり、加えてロータの前方への糸落ち現象を好適に防止することができる魚釣用スピニングリールを提供することを目的とする。
【課題を解決するための手段】
【００１０】
前記目的を達成するために発明の魚釣用スピニングリールは、リール本体と、前記リール本体に設けられたハンドルの回転操作に連動回転するロータと、を備え、前記ロータのアーム部に設けられた釣糸案内部を介して、スプールに釣糸を巻回する魚釣用スピニングリールにおいて、前記ロータは、前記スプールの内側に配置される有底の円筒部と、前記円筒部の底部の前部にねじで取り付けられる環状部材と、を有しており、前記環状部材は、前記底部の外縁部よりも径方向外側に突出する釣糸係止部を備えており、前記底部の前部には、前記ロータの軸心と同心円上に複数のねじ穴が等間隔で形成されており、前記環状部材には、前記複数のねじ穴に対応して周方向に等間隔でねじ挿通部が形成されており、前記複数のねじ穴および前記ねじ挿通部は、前記ねじの数よりも多く形成されており、前記ロータは、前記複数のねじ穴に対する前記ねじの固定位置を適宜選択することで、質量調整および軸心周りの質量分布の調整が可能であり、これらの調整によって、回転バランスの調整が可能であることを特徴とする。
【００１１】
この魚釣用スピニングリールによれば、組み立て時や部品交換等のメンテナンス時において、環状部材を止めるねじの数を増減することによって、ロータの質量調整を行うことができる。また、環状部材のねじ止め位置をロータの軸心周りに適宜変えることで、ロータの軸心周りの質量分布を容易に調整することができる。
また、魚釣操作中に、釣糸がスプールとロータとの間に侵入しても、釣糸係止部によりロータの底部の前部周りに釣糸を係止することができ、釣糸係止部よりも前方へ釣糸が移動するのを規制することができる。
【００１６】
また、前記環状部材には、前記底部の外縁部に向けて延在する係合突部が周方向に等間隔を置いて複数設けられており、前記底部の外縁部には、前記係合突部に沿う凹形状の係合受部が設けられており、前記係合受部に前記係合突部が係合可能であることを特徴とする。
【００１７】
この魚釣用スピニングリールによれば、環状部材に設けられた係合突部をロータの底部の外縁部に設けられた係合受部に係合させた状態で、環状部材を固定することができる。
【発明の効果】
【００１８】
本発明の魚釣用スピニングリールによれば、環状部材を止めるねじの数を増減させることで、ロータの質量調整を容易に行うことができるので、製造コストを低減しつつロータの回転バランスを調整することができる。また、ねじ止め位置を適宜変えることで、ロータの軸心周りの質量分布を容易に調整することができるので、最適なロータの回転バランスが得られる。また、メンテナンス等による部品交換後も、ねじの数を増減させたり、ねじ止め位置を適宜変えることで、ロータの回転バランスを調整することができ、良好な魚釣操作性を維持することができる。また、環状部材を固定するねじによって回転バランスを調整することができるので、別途、回転バランスを調整するための部品を用意する必要がなく、部品点数の増加を防止することができる。
また、環状部材の釣糸係止部によって、これよりも前方へ釣糸が移動するのを規制することができるので、スプールの内側に配置される部材やスプール軸等に釣糸が引っ掛かったり絡み付いたりする現象を防止することができる。これにより、魚釣操作性に優れた魚釣用スピニングリールが得られる。
【００２１】
また、環状部材に係合突部が設けられ、底部に係合受部が設けられている構成では、スプールとロータとの間に釣糸が侵入した場合に、係合突部と係合受部との突き合わせ部を用いて釣糸を係止することができる。したがって、釣糸係止部による釣糸の係止と相俟って釣糸を確実に係止することができる。また、係合突部と係合受部とが凹凸係合する構造であるので、円筒部の周方向に突き合わせ部と円筒部の外周面とが交互に位置することとなり、突き合わせ部に係止された釣糸を円筒部の外周面上でつまんで容易に取り外すことができる。これにより、魚釣操作性が向上する。
【図面の簡単な説明】
【００２２】
【図１】本発明の第１実施形態に係る魚釣用スピニングリールの全体構成を示す図である。
【図２】（ａ）はロータの前面図、（ｂ）はロータの側面図である。
【図３】（ａ）はロータの斜視図、（ｂ）はロータと環状部材との固定部分を示す拡大断面図である。
【図４】ロータと環状部材と固定ねじとを示す分解斜視図である。
【図５】スプールとロータとの間に釣糸が入り込むときの様子を示す説明図である。
【図６】本発明の第２実施形態に係る魚釣用スピニングリールを示す図であり、（ａ）はロータの前面図、（ｂ）はロータの側面図、（ｃ）はロータと環状部材との固定部分を示す拡大断面図である。
【図７】本発明の第３実施形態に係る魚釣用スピニングリールを示す図であり、（ａ）はロータの前面図、（ｂ）はロータの側面図、（ｃ）はロータと環状部材との固定部分を示す拡大断面図である。
【図８】（ａ）（ｂ）は環状部材の変形例を示す前面図である。
【発明を実施するための形態】
【００２３】
以下、本発明に係る魚釣用スピニングリールの実施形態について図面を参照して説明する。各実施形態において、同一の部分には同一の符号を付し、重複する説明は省略する。なお、以下の説明において、「前後」「上下」を言うときは、図１に示した方向を基準とする。
【００２４】
（第１実施形態）
図１に示すように、魚釣用スピニングリールは、図示しない釣竿に装着するための脚部１Ａが形成されたリール本体（例えば、金属から形成される）１と、リール本体１の前方に回転可能に設けられたロータ２と、このロータ２の回転運動と同期して前後方向移動可能に設けられるスプール３とを主として有している。
【００２５】
リール本体１には、ハンドル軸４が回転可能に支持されており、ハンドル軸４の突出端部には、巻取操作されるハンドル５が取り付けられている。ハンドル軸４には、ロータ２を巻取駆動するための内歯が形成されたドライブギヤ６が一体的に取り付けられている。ドライブギヤ６は、駆動軸筒８のピニオンギヤ８ａに噛合している。駆動軸筒８は、リール本体１の前方に突出しており、内部に軸方向に延出する空洞部を有している。
【００２６】
駆動軸筒８は、ピニオンギヤ８ａの前側と後側において、軸受（ボールベアリング）１２ａ、１２ｂを介してリール本体１に回転可能に支持されている。駆動軸筒８の先端部には、ロータナット２ａによってロータ２が取り付けられている。駆動軸筒８には、ハンドル５（ロータ２）の釣糸放出方向への逆回転を防止する公知の一方向クラッチ１０が取り付けられている。一方向クラッチ１０は、リール本体１の下部に設けられた切換部材１１に連動しており、切換部材１１を回動操作することで、一方向クラッチ１０が作動状態と非作動状態とに切り換えられるように構成されている。この場合、切換部材１１を作動状態に切り換えることで、ハンドル５（ロータ２）の逆転方向の回転（釣糸放出方向の回転）が防止される。
【００２７】
駆動軸筒８には、摺動可能なクリアランスを有してスプール軸９が挿通支持されている。スプール軸９の後端には、スプール３（スプール軸９）を前後往復動させるための公知のスプール往復動装置１５が係合している。スプール軸９の前端には、図示しないドラグ機構を介してスプール３が取り付けられている。スプール３は、釣糸が巻回される釣糸巻回胴部３ａと、釣糸巻回胴部３ａの後部に設けられたスカート部３ｂと、釣糸巻回胴部３ａの前側に設けられた前側フランジ３ｃとを備えている。
【００２８】
このような構成を有する魚釣用スピニングリールにおいて、ハンドル５により巻取操作を行うと、ロータ２が巻取駆動機構を介して回転駆動されるとともに、スプール３がスプール往復動装置１５を介して前後往復動される。これにより、釣糸は、ロータ２の釣糸案内部２２ｅを介してスプール３の釣糸巻回胴部３ａに均等に巻回される。
【００２９】
次に、ロータ２の詳細について説明する。
ロータ２は、図１に示すように、リール本体１の前部に装着された保護カバー１６の外周側に位置する円筒部２１と、円筒部２１の外周部に略１８０°の間隔を置いて設けられた一対のアーム部２２，２２とを備えている。一対のアーム部２２，２２は相互に異なる形状（構成）とされている。
【００３０】
各アーム部２２は、図２（ｂ）に示すように、円筒部２１の後部（リール本体１側の端部、図１参照）から径方向外方に突き出した連結部２２ａ（図２（ａ）参照）を介して円筒部２１に一体形成されており、連結部２２ａから前方に延出している。これにより、円筒部２１と各アーム部２２との間には隙間Ｓ１が形成されている。隙間Ｓ１には、図１に示すように、スプール３のスカート部３ｂが配置される。
【００３１】
一対のアーム部２２の先端には、図１，図２（ｂ）に示すように、支持部材２２ｆ，２２ｇがそれぞれ支持されている。支持部材２２ｆ，２２ｇは、公知のように、支軸２２ｆ１，２２ｇ１（図２（ｂ）参照）を中心として釣糸巻取位置と釣糸放出位置との間で回動可能である。一方の支持部材２２ｇの先端部には、釣糸案内部（ラインローラ）２２ｅが設けられている。また、両支持部材２２ｆ，２２ｇ間には、ベール２７が設けられている。ベール２７は、支持部材２２ｆ，２２ｇが釣糸放出位置から釣糸巻取位置へ反転した際、釣糸をピックアップして釣糸案内部２２ｅへ案内する。なお、ベール２７を備えていない構成（ベールレスタイプ）であってもよい。
【００３２】
なお、一対のアーム部２２のうち、一方のアーム部２２の内部には、図１に示すように、支持部材２２ｇを釣糸巻取位置と釣糸放出位置との間で反転させて振り分け保持する反転機構等が配設されている。また、一対のアーム部３２間には、図２（ａ）に示すように、補強部材２２ｂ，２２ｃが設けられている。
【００３３】
補強部材２２ｂ，２２ｃは、一対のアーム部２２，２２間に架設されており、一方のアーム部２２の側部から他方のアーム部２２の側部に向けて後方に向けて湾曲するアーチ状（略Ｕ字状、後方へ向けて湾曲凸状、図２（ｂ）参照）に形成されている。なお、補強部材２２ｂ，２２ｃは、円筒部２１を挟んで両側に設けたが片側に設けてもよい。
【００３４】
図２（ｂ）に示すように、補強部材２２ｂ，２２ｃ（図２（ｂ）においては２２ｃのみ図示）に対向している円筒部２１の周壁面には、軽量化を目的として一対の切欠部２２ｄ（一方のみ図示）が設けられている。切欠部２２ｄは、一対のアーム部２２，２２が形成される位置に対して周方向に略９０°ずれた位置にそれぞれ形成されており、バランスが取られている。切欠部２２ｄは後方から前方へ向けて周方向に漸次幅広となるように形成されている。つまり、円筒部２１は、後部側よりも前部側が軽量化されている。
【００３５】
円筒部２１の底部の前部２３には、図２（ａ）（ｂ）に示すように、環状部材２５が取り付けられている。前部２３には、図２（ａ）に示すように、ロータ２の軸心Ｏ１周りに等間隔で複数のボス部２３ａが突設されている（図４参照）。各ボス部２３ａには、ねじ穴２３ｂが形成されている。各ねじ穴２３ｂは、ロータ２の軸心Ｏ１と同心円上に形成されている。本実施形態では、各ボス部２３ａ（各ねじ穴２３ｂ）を前部２３の周縁部に配置している。ここで、周縁部とは、前部２３の縁部から半径の約１／３程度の領域のことをいう。
【００３６】
ねじ穴２３ｂには、環状部材２５を固定するための固定ねじ２６が螺合可能である（図４参照）。固定ねじ２６の頭部の外径は、図２（ａ），図３（ｂ）に示すように、ボス部２３ａの外径よりも大きく形成されている。本実施形態では、ボス部２３ａが計６個設けられている。
【００３７】
前部２３の中心部には、図２（ａ）に示すように、駆動軸筒８（図１参照）の先端部が挿通される挿通孔２３ｈが形成されている。前部２３において、挿通孔２３ｈの周りには、ロータナット２ａが装着される環状の装着部２４が突設されている（図３（ａ）参照）。装着部２４の周部には、回り止めねじ２４ｂが螺着されるねじ座２４ａが形成されている。回り止めねじ２４ｂは、ロータナット２ａに当接してロータナット２ａを回り止め保持する（図１参照）。
【００３８】
環状部材２５は、図２（ａ），図３（ａ）（ｂ）に示すように、環状の基部２５ａと、基部２５ａの外縁部から前方へ突出する周壁部２５ｂと、周壁部２５ｂの端部から径方向外側に延在する釣糸係止部２５ｃと、を備えている。
【００３９】
基部２５ａの内周縁部には、図４に示すように、略半円形状の切欠部２５ａ１が形成されている。切欠部２５ａ１は、円筒部２１のボス部２３ａの外面に係合可能である。切欠部２５ａ１は、各ボス部２３ａに対応して基部２５ａの周方向に等間隔で複数設けられている。基部２５ａは、ボス部２３ａよりも若干分厚く形成されており、図３（ｂ）に示すように、円筒部２１の前部２３に環状部材２５を組み付けた状態で、基部２５ａの前面は、ボス部２３ａの前面よりも幾分前方に突出する。これにより、固定ねじ２６をボス部２３ａのねじ穴２３ｂに締め付けると、固定ねじ２６の頭部が切欠部２５ａ１の前縁部に押圧され、その結果、円筒部２１の前部２３に環状部材２５が締め付け固定される。なお、切欠部２５ａ１は、特許請求の範囲における「ねじ挿通部」に相当する。
【００４０】
周壁部２５ｂは、図３（ｂ）に示すように、円筒部２１の外周面に連続する（略面一に連続する）外周面を有している。周壁部２５ｂの外周面と釣糸係止部２５ｃの後面との隅部は、アール状に形成されている。隅部には、ロータ２の円筒部２１とスプール３との間に侵入して、円筒部２１の前部２３に向けて移動してきた釣糸Ｌが保持される（図５参照）。
【００４１】
釣糸係止部２５ｃは、周壁部２５ｂに対して略直角に形成されている。釣糸係止部２５ｃの周方向への突出量は、その外周側に配置されるスプール３の前後移動に干渉することのない突出量に設定されている（図１，図５参照）。
【００４２】
本実施形態では、円筒部２１の前部２３に環状部材２５を組み付ける際に、複数のボス部２３ａに対する固定ねじ２６の固定位置を適宜選択することによって、ロータ２の質量調整およびロータ２の軸心Ｏ１周りの質量分布を調整することが可能となっている。例えば、図４に示すように、前部２３の径方向に対向する一組のボス部２３ａ，２３ａに対して固定ねじ２６をそれぞれ螺合してロータ２を質量調整を行いつつ環状部材２５を固定することで、固定ねじ２６を螺合した部分の質量を増加でき、ロータ２の質量分布を容易かつ精度よく調整できる。なお、ロータ２の質量調整時には、隣合う適宜のボス部２３ａに対して固定ねじ２６を螺合して環状部材２５を固定してもよい。また、適宜のボス部２３ａの一つに対してのみ、固定ねじ２６を螺合して環状部材２５を固定してもよいし、適宜の三つ以上のボス部２３ａのそれぞれに対して固定ねじ２６を螺合して環状部材２５を固定してもよい。なお、環状部材２５は、装着時に各切欠部２５ａ１が各ボス部２３ａに係合するようになっているので、仮に、固定ねじ２６の螺合箇所が前記のように一箇所となる場合でも、ロータ２の周方向に環状部材２５が位置ずれたり、前部２３から環状部材２５が脱落したりすることがない。
【００４３】
次に、図５を参照して、ロータ２とスプール３との間に釣糸Ｌが侵入した際の作用について説明する。
釣糸Ｌの放出または巻取の一連の操作の中で、釣糸Ｌの巻付状態が崩れて釣糸Ｌが解れたり、張力変化、風の影響等による糸ふけ現象により釣糸Ｌの巻付位置が後方へずれたりすることがある。この場合に、例えば、ロータ２のアーム部２２とスプール３との間（隙間Ｓ１）からスプール３の後端部３ｂ１をまわって円筒部２１上へ釣糸Ｌが侵入すると（入り込むと）、円筒部２１の外周面に釣糸Ｌが巻付く状態となる。
【００４４】
円筒部２１の外周面に巻付いた釣糸Ｌは、釣糸巻取時の張力（または釣糸Ｌの放出時の張力）により、円筒部２１の外周面に沿って後部側から前部側へ移動する。その後、釣糸Ｌは、円筒部２１の前端の環状部材２５へ近付いてこれに当接し、環状部材２５の釣糸係止部２５ｃに係止される。
【００４５】
ここで、釣糸係止部２５ｃは、円筒部２１の前端周りに配置されており、スプール３の内側における比較的狭い空間内にて壁状とされている。したがって、円筒部２１の外周面上を移動してきた釣糸Ｌは、釣糸係止部２５ｃに確実に係止されることとなる。これによって、釣糸係止部２５ｃよりも前方への釣糸Ｌの移動が規制されて、環状部材２５の周壁部２５ｂと釣糸係止部２５ｃとの隅部に釣糸Ｌが保持される。
【００４６】
これにより、ロータ２の内側に配置される部材等に釣糸Ｌが食い込んだり絡み付いたりする現象を防止することができる。
【００４７】
以上説明した本実施形態の魚釣用スピニングリールによれば、環状部材２５のねじ止め位置をロータ２の軸心Ｏ１周りに適宜変えることで、ロータ２の質量調整を行うことができるとともに、ロータ２の軸心Ｏ１周りの質量分布を容易に調整することができる。したがって、最適なロータ２の回転バランスが得られる。また、他のバランサーを取り付ける必要がないのでロータ２の外観形状の自由度も向上する。また、環状部材２５を固定する固定ねじ２６によって回転バランスを調整することができるので、別途、回転バランスを調整するための部品を用意する必要がなく、部品点数の増加を防止することができる。
【００４８】
また、修理等による部品交換後も、環状部材２５のねじ止め位置をロータ２の軸心Ｏ１周りに適宜変えることで、ロータ２の質量調整を行うことができるとともに、ロータ２の軸心Ｏ１周りの質量分布を容易に調整することができる。したがって、部品交換後においても最適なロータ２の回転バランスが得られ、良好な魚釣操作性を維持することができる。
【００４９】
また、環状部材２５の釣糸係止部２５ｃによって、これよりも前方へ釣糸Ｌが移動するのを規制することができるので、スプール３の内側に配置される部材やスプール軸９等に釣糸Ｌが引っ掛かったり絡み付いたりする現象を防止することができる。これにより、魚釣操作性に優れた魚釣用スピニングリールが得られる。
【００５０】
また、円筒部２１の前部２３の周縁部に固定ねじ２６が螺合されるので、ロータ２の軸心Ｏ１周りの質量調整および軸心Ｏ１周りの質量分布を効果的に調整することができる。したがって、最適なロータ２の回転バランスが得られ、魚釣操作性に優れた魚釣用スピニングリールが得られる。
【００５１】
（第２実施形態）
図６を参照して第２実施形態の魚釣用スピニングリールについて説明する。本実施形態が前記第１実施形態と異なるところは、環状部材２５Ａが円筒部２１の前端外縁部に係合するように構成されている点である。
【００５２】
環状部材２５Ａには、図６（ｂ）（ｃ）に示すように、円筒部２１の底部の前端外縁部に向けて延在する係合突部２５ｄが設けられている。係合突部２５ｄは、図６（ｂ）に示すように、側面視で略逆台形状を呈しており、周方向に等間隔を置いて複数形成されている。
【００５３】
円筒部２１の底部の前端外縁部には、係合突部２５ｄに対応して複数の係合受部２１ｄが設けられている。係合受部２１ｄは係合突部２５ｄに沿う凹形状とされており、係合突部２５ｄが係合可能となっている。
【００５４】
なお、本実施形態では、図６（ａ）に示すように、ボス部２３ａの形成個数を第１実施形態で示したものに比べて６個増加して計１２個にしている。したがって、固定ねじ２６のねじ止め位置をより細かく変更することができ、軸心Ｏ１周りの質量分布を精度よく調整することが可能である。これにより、ロータ２の回転バランスを精度よく調整することができる。
【００５５】
また、本実施形態では、図６（ａ）に示すように、第１実施形態で説明した装着部２４（図３（ａ）参照）を有しておらず、周り止めねじ２４ｂが円筒部２１の前部２３に直接螺合されている。この場合にも、回り止めねじ２４ｂは、図示しないロータナット２ａに当接してロータナット２ａを回り止め保持する。
【００５６】
以上説明した本実施形態によれば、第１実施形態で説明した作用効果と同様の作用効果が得られる。また、環状部材２５Ａの係合突部２５ｄが円筒部２１の係合受部２１ｄに凹凸係合する構造となっているので、次のような作用効果が得られる。
すなわち、図６（ｂ）に示すように、係合突部２５ｄと係合受部２１ｄとが凹凸係合する構造であるので、魚釣操作中に釣糸がロータ２とスプール３との間に侵入した場合に、これらの突き合わせ部Ｓ２に釣糸を係止することができる。つまり、突き合わせ部Ｓ２と釣糸係止部２５ｃとによって釣糸を確実に係止することができる。しかも、円筒部２１の周方向に突き合わせ部Ｓ２と円筒部２１の外周面（延出部２１ｈ）とが交互に位置することとなるので、釣糸の突き合わせ部Ｓ２と延出部２１ｈとから内部への食い込みが防止されて、突き合わせ部Ｓ２の周方向両隣において釣糸を円筒部２１の外周面上に位置させることができる。したがって、突き合わせ部Ｓ２に係止された釣糸を円筒部２１の外周面上でつまんで容易に取り外すことができる。これにより、魚釣操作性が向上する。
【００５７】
（第３実施形態）
図７を参照して第３実施形態の魚釣用スピニングリールについて説明する。本実施形態が前記第１，第２実施形態と異なるところは、環状部材２５Ｂと円筒部２１の前端外縁部との間に段差部２１ｇ（図７（ｃ）参照）が構成されている点である。
【００５８】
環状部材２５Ｂは、図７（ｃ）に示すように、基部２５ａと、基部２５ａから前方斜め外側（径方向外側）に突出する周壁部２５ｂ１と、周壁部２５ｂ１に連続する釣糸係止部２５ｃと、を備えている。
【００５９】
円筒部２１の前部２３には、図７（ｃ）に示すように、前方へ向けて突出する環状の周縁部２１ｅが形成されている。環状部材２５Ｂは、周縁部２１ｅの内面２１ｆに基部２５ａの外周面が当接するようにして、円筒部２１の前部２３に取り付けられている。つまり、環状部材２５Ｂの基部２５ａは、円筒部２１の外周面に露出しておらず、周縁部２１ｅの径方向内側にオフセットされた状態で円筒部２１の前部２３に配置されている。これによって、周縁部２１ｅと環状部材２５Ｂの周壁部２５ｂ１との間に径方向内側に凹状とされた段差部２１ｇが形成される。段差部２１ｇには、魚釣操作中にロータ２とスプール３との間に侵入した釣糸（図５参照）が保持される。
【００６０】
以上説明した本実施形態によれば、第１実施形態で説明した作用効果と同様の作用効果が得られる。また、魚釣操作中にロータ２とスプール３との間に侵入した釣糸を段差部２１ｇによって好適に保持することができる。したがって、糸落ち現象を確実に防止することができ、魚釣操作性に優れる。
【００６１】
図８に変形例の魚釣用スピニングリールに適用される環状部材２５Ｃ，２５Ｄを示す。図８（ａ）に示す環状部材２５Ｃは、ロータナット２ａ（図１参照）に外嵌される環状の保持部２５ｇを備えている。
【００６２】
保持部２５ｇは、４本の腕部２５ｆを介して基部２５ａに連結されている。保持部２５ｇの内周部には、ロータナット２ａに外嵌される溝部２５ｈが形成されている。なお、基部２５ａには、ねじ挿通部として、ねじ孔２５ａ２が複数形成されている。
【００６３】
このような環状部材２５Ｃを用いることによって、環状部材２５Ｃの保持部２５ｇをロータナット２ａ（図１参照）に外嵌させた状態で、環状部材２５Ｃをロータ２の前部２３に固定することができるので、ロータ２の軸心Ｏ１周りの回転バランスを調整しながら、併せてロータナット２ａの回り止め固定を行うことができる。したがって、組付性に優れ、製造コストの低減を図ることのできる魚釣用スピニングリールが得られる。
【００６４】
図８（ｂ）に示す環状部材２５Ｄは、基部２５ａよりも小径の環状部２５ｊを備えている。環状部２５ｊは、４本の腕部２５ｆを介して基部２５ａに連結されている。環状部２５ｊには、ねじ孔２５ｊ２が複数形成（計４個形成）されている。ねじ孔２５ｊ２は、環状部材２５Ｄの径方向において、少なくとも基部２５ａに形成されたねじ孔２５ａ２とは重ならない位置に形成されている。
【００６５】
なお、環状部材２５Ｄでは、複数箇所において、基部２５ａの外周縁部を部分的に径方向に延在させて釣糸係止部２５ｃ１を形成している。
【００６６】
このような環状部材２５Ｄを用いることによって、固定ねじ２６のねじ止め位置をより細かく変更することができ（径方向に質量調整を行うことができ）、ロータ２の回転バランスが取り易い。これによりロータ２の回転バランスの安定化が図られ、巻取操作を快適に行える。
【００６７】
以上、本発明の実施形態について説明したが、本発明は、上記した実施形態に限定されることはなく、種々変形することが可能である。
例えば、前記各実施形態において、ボス部２３ａ（ねじ穴２３ｂ）の数およびこれに対応するねじ挿通部（切欠部２５ａ１等）の数は、任意に設定することができる。
また、環状部材２５，２５Ａ〜２５Ｄに、別途、切欠部や孔部を設けることによって軽量化を図ってもよい。
【００６８】
また、環状部材２５，２５Ａ〜２５Ｄは、一体に設けられたものを示したが、これに限られることはなく、別体とされた複数の部材で構成してもよい。
【００６９】
また、環状部材２５，２５Ａ〜２５Ｄは、釣糸係止部２５ｃ，２５ｃ１として機能する部分を有していればよく、前記した形状の他、種々の形状のものを採用することができる。
なお、釣糸係止部２５ｃ，２５ｃ１の突出量は、釣糸の係止が可能であれば任意に設定することができる。また、釣糸係止部２５ｃ，２５ｃ１は、後方へ向けて傾斜状に延出するように形成してもよく、また、釣糸が係止され易いように、湾曲状に形成してもよい。
【符号の説明】
【００７０】
１      リール本体
２      ロータ
２ａ    ロータナット
２ｇ    釣糸案内部
３      スプール
５      ハンドル
８      駆動軸筒
２１    円筒部
２１ｄ  係合受部
２２    アーム部
２２ｅ  釣糸案内部
２３    前部
２３ｂ  ねじ穴
２５    環状部材
２５ｃ，２５ｃ１  釣糸係止部
２５Ａ〜２５Ｄ  環状部材
２５ｄ  係合突部
２５ｇ  保持部
Ｌ      釣糸
Ｏ１    軸心
【図１】
0006438844.tif 000002
【図２】
0006438844.tif 000003
【図３】
0006438844.tif 000004
【図４】
0006438844.tif 000005
【図５】
0006438844.tif 000006
【図６】
0006438844.tif 000007
【図７】
0006438844.tif 000008
【図８】
0006438844.tif 000009